(57)【要約】【課題】  食品の性質や利用者の収納目的に応じた使い勝手の良い蓋付き収納容器を提供することにある。【解決手段】  前記第一収容容器を封止せず、かつ当該蓋部材の開口部を上向きにした状態で、第二収容容器として使用可能であり、前記第一収容容器の開口部分の開口面積および前記蓋部材の開口部の開口面積よりも、第二収容容器の底面積を小さくしたことを特徴とする。【選択図】  図１ａ−ｅ
2013074963.tif 000002
【特許請求の範囲】
【請求項１】
冷蔵庫内に収納可能な収納容器において、第一収容容器と当該第一収容容器の開口を密閉可能な蓋部材とを備え、
当該蓋部材は、前記第一収容容器を封止せず、かつ当該蓋部材の開口部を上向きにした状態で、第二収容容器として使用可能であり、
前記第一収容容器の開口部分の開口面積および前記蓋部材の開口部の開口面積よりも、第二収容容器の底面積を小さくしたことを特徴とする収納容器。
【請求項２】
請求項１に記載の収納容器において、
前記蓋部材と、前記第一収容容器の長手方向側面にヒンジ部を有することを特徴とする収納容器。
【請求項３】
請求項２に記載の収納容器において、
前記蓋部材で前記第一収容容器を封止した際、前記蓋部材の短手方向において、ヒンジ部が形成されている長手方向側面側から、当該ヒンジ部が形成されていない長手方向側面側にかけて前記蓋部材の高さが低くなるように形成されていることを特徴とする収納容器。
【請求項４】
請求項１に記載の収納容器において、
前記蓋部材と、前記第一収容容器の短手方向側面にヒンジ部を有することを特徴とする収納容器。
【請求項５】
請求項４に記載の収納容器において、
前記蓋部材で第一収容容器を封止した際、前記蓋部材の長手方向において、前記ヒンジ部形成されている短手側面側から、前記ヒンジ部が形成されていない短手側面側に高さが低くなるように形成されていることを特徴とする収納容器。
【請求項６】
請求項１に記載の収納容器において、
前記第一収容容器の短手方向側面に取っ手部を有し、
当該取っ手上部に前記蓋部材を開放させるための回転ヒンジ部を備えることを特徴とする収納容器。
【請求項７】
請求項４に記載の収納容器において、
前記蓋部材は開放取っ手を備え、
当該開放取っ手が押し下げられることにより、前記回転ヒンジ部が支点となって前記蓋部材が開放され、
前記第一収容容器の取っ手部は、当該蓋部材が開放されたときに、前記開放取っ手を保持する開放取っ手保持部を有することを特徴とする収納容器。
【請求項８】
請求項１に記載の収納容器において、
前記第一収容容器における当該第一収容容器と前記蓋部材の嵌着部分に受部が形成されていることを特徴とする収納容器。
【請求項９】
請求項１に記載の収納容器において、
当該収納容器は矩形の容器であって、
前記蓋部材および前記第一収容容器との嵌合部に形成された形状パターンが対向する両側面において非対称となる様に形成されていることを特徴とする収納容器。
【発明の詳細な説明】
【技術分野】
【０００１】
本発明は、冷蔵庫内において種々の食品や調味料容器等を効率的に収納するための蓋付き収納容器に関する。
【背景技術】
【０００２】
容器本体と、その開口を密閉する蓋とからなる収納容器は、食品等の乾燥を防止したり、雑菌の混入や臭いの出入を防止したりすることができる。このことから、近年では多くの家庭で蓋付きの収納容器が用いられている。
このような蓋付き収納容器に関しては、使い勝手等を考慮した様々な検討がなされている。
【０００３】
たとえば特許文献１には、複数の密閉容器を、位置ずれを防止しつつ、積み重ねて冷蔵庫内に収納でき、周囲への冷気の通しを良好にすることのできる密閉容器およびトレーについて開示されている。
【先行技術文献】
【特許文献】
【０００４】
【特許文献１】特開平１０−１９２１６８号公報
【発明の概要】
【発明が解決しようとする課題】
【０００５】
従来の蓋付き収納容器においては、上述の通り、容器の開口を封止する目的で蓋部が用いられていた。
しかしながら、乾燥を防ぐ必要のない食品やボトル等に収容された調味料等を収納する場合には、収納容器を厳重に密閉する必要はない。また、食品の種類により乾燥を嫌う程度が異なる。
このような場合においても一律に容器を密閉して収納することは、利便性や収納効率の面であまり好ましくない。また乾燥を防ぐことが不要な場合に、蓋を異なる場所に保管してしまうことで、蓋を紛失してしまう可能性もある。
【０００６】
そこで本願発明の目的とするところは、食品の性質や利用者の収納目的に応じた使い勝手の良い蓋付き収納容器を提供することにある。
【課題を解決するための手段】
【０００７】
上記課題を解決するための本願発明の一例としては、冷蔵庫内に収納可能な収納容器において、第一収容容器と当該第一収容容器の開口を密閉可能な蓋部材とを備え、
当該蓋部材は、前記第一収容容器を封止せず、かつ当該蓋部材の開口部を上向きにした状態で、第二収容容器として使用可能であり、
前記第一収容容器の開口部分の開口面積および前記蓋部材の開口部の開口面積よりも、第二収容容器の底面積を小さくしたことを特徴とする。
【発明の効果】
【０００８】
かかる本願発明の構成によれば、食品の性質や利用者の収納目的に応じて、蓋の用途を異ならしめることが可能となり、利用者にとって使い勝手の良い収納容器を提供することが可能となる。
また、第一収容容器（以下、下容器ともいう）の開口部分の開口面積および蓋部材の開口部分の開口面積よりも第二収容容器の底面積を小さくすることで、冷蔵庫内で蓋と下容器とを並べて収納容器として用いる場合に、冷気の流れを阻害しない通気路を形成することができ、効率的な冷却を維持することが可能となる。
【図面の簡単な説明】
【０００９】
【図１ａ−ｅ】(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図。
【図１ｆ】(ｆ) 本実施例の実施形態例である収納容器Ａ−Ａ断面図。
【図２ａ−ｅ】(ａ)本実施例の実施形態例である蓋部材左側面図、(ｂ) 本実施例の実施形態例である蓋部材上面図、(ｃ) 本実施例の実施形態例である蓋部材背面図、(ｄ) 本実施例の実施形態例である蓋部材底面図、(ｅ) 本実施例の実施形態例である蓋部材正面図。
【図２ｆ】(ｆ) 収納容器と蓋部材を並べて容器として用いた状態図。
【図３ａ−ｅ】(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図。
【図３ｆ−ｇ】(ｆ) 本実施例の実施形態例である収納容器Ａ−Ａ、Ｂ−Ｂ断面図、(ｇ)蓋部材が開放した状態を示す図。
【図３ｈ】(ｈ) 蓋部材が開放した状態で拡大部分Ｑの詳細を示す図。
【図３ｉ】(ｉ) 蓋部材が開放した状態で拡大部分Ｐの詳細を示す図。
【図４ａ−ｅ】(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図。
【図４ｆ−ｇ】(ｆ) 本実施例の実施形態例である収納容器Ａ−Ａ、Ｂ−Ｂ断面図、(ｇ)蓋部材が開放した状態を示す図。
【図４ｈ】(ｈ) 蓋部材を開放させる際の拡大部分Ｐの詳細を示す図。
【図４ｉ】(ｉ) 蓋部材を開放させる際の拡大部分Ｑの詳細を示す図。
【図５ａ−ｅ】(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図。
【図５ｆ−ｇ】(ｆ) 本実施例の実施形態例である収納容器右側面図、(ｇ)蓋部材が開放した状態を示す図。
【図５ｈ】(ｈ)蓋部材を開放した状態におけるＰ部拡大図。
【図６ａ−ｅ】(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図。
【図６ｆ】(ｆ) 本実施例の実施形態例である収納容器Ａ−Ａ断面図。
【図７ａ−ｃ】二重容器の使用状態の説明図。
【図８ａ−ｂ】本実施例の収納容器の別例を示す使用状態図。
【図９ａ−ｅ】(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図。
【図９ｆ】(ｆ) 本実施例の実施形態例である収納容器右側面図。
【図１０】本実施形態の使用状態の説明図。
【発明を実施するための形態】
【００１０】
以下、本実施形態に係る収納容器について、図１ないし図１０を参照して説明する。
（第１実施形態）
第１の実施形態に係る収納容器について、図１、２を参照して以下説明する。
【００１１】
図１(ａ)〜(ｆ)は本実施例における蓋付き収納容器外観および断面を示すものであり、それぞれ、(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図、(ｆ) 本実施例の実施形態例である収納容器Ａ−Ａ断面図である。ここで右側面は図１(ａ)と同様のため、省略している。
【００１２】
図２(ａ)〜(ｆ)は本実施例における収納容器の蓋部材の外観を示すものである。
それぞれ、図２(ａ)本実施例の実施形態例である蓋部材左側面図、(ｂ) 本実施例の実施形態例である蓋部材上面図、(ｃ) 本実施例の実施形態例である蓋部材背面図、(ｄ) 本実施例の実施形態例である蓋部材底面図、(ｅ) 本実施例の実施形態例である蓋部材正面図、(ｆ) 収納容器と蓋部材を並べて容器として用いた状態図である。ここで右側面は図２(ａ)と同様のため、省略している。
【００１３】
図１(ａ)に示すように、第１実施形態に係る収納容器は、食材などを収容できる下容器１０２と、当該下容器１０２の開口部を密閉する蓋部材１０１より構成されている。
この下容器１０２や蓋部材１０１はポリスチレンの様なプラスチック素材などの内容物が可視化できるような透視部材より形成されている。
【００１４】
この下容器１０２は矩形形状であり、奥行き寸法(短手方向)よりも高さ寸法が大きく、この高さ寸法よりも横幅寸法(長手方向)の方が大きく形成されている。
当該収納容器の高さは、ドレッシングボトルや350ml缶などが収納できる高さであり、一般的な冷蔵庫の棚に収納可能な高さである。しかしながら、収納容器の高さは、例えばペットボトルが収納できる高さであっても良いし、それ以上もしくはそれ以下の高さであっても良いことは云うまでも無い。
【００１５】
下容器の短手方向側面には、冷蔵庫内への収納容器の収容、取り出しが容易となるように取っ手１０５が形成されている。
蓋部材１０１は下容器１０２の開口部を覆う様に嵌合するよう構成され、下容器１０２の取っ手１０５と干渉しないように、凹部１０６が形成されている。
蓋部材１０１の開口部面積は、下容器１０２の開口部面積よりも大きく構成され、下容器１０２の開口部を覆う様に嵌合する嵌合部１０７を有している。このように構成することで、下容器１０１を密閉することが可能となる。
【００１６】
また、この収納容器の特徴の一つとして、この収納容器は、下容器１０２の開口部を密閉する蓋部材１０１を下容器１０２より取り外し、図２(ａ)に示す様に、蓋部材１０１の開口部が上方を向く様にすると、蓋部材１０１自体も食材などの収容容器として用いることができる。このようにすることで、高さの異なる食材に併せて食品の収納ができる。
また、乾燥を防ぐ必要がないような食材を収容する場合には、このように密閉せず、蓋部材１０１も第二の収容容器として使用できるため、利用者にとって食品の性質や用途に応じた使い勝手の良い収納容器を提供できる。
【００１７】
また一方、下容器１０２の外表面および蓋部材１０１の外表面にはそれぞれ突起１０３、１０４が設けられており、好適には、容器として使用する場合の設置面に突起１０３、１０４が設けられていると良い。
このように突起が設けられていることにより、冷蔵庫内に容器を収容した場合に、容器の底部に流れる冷気の流れを極力阻害しない様にすることが出来、冷却効率も保つことができる。
【００１８】
ここで、突起１０３、１０４は下容器１０２や蓋部材１０１と同一素材でも良く、例えばゴム材料などの柔軟性のある別素材を用いても良い。このように下容器１０２や蓋部材１０１よりもある程度柔軟性のある部材を用いることで、冷蔵庫の棚にしっかりと容器が密着することになり安定保持が可能となる。また、滑り止めとして作用することにもなる。
さらに、予め同一素材で突起加工しておき、その突起をゴム材料で被覆するように構成しても良いことは云うまでも無い。
【００１９】
次のこの収納容器の特徴の一つとして、この収納容器では、蓋部材１０１を第二の収容容器として下容器１０２と並べて使用することが出来る。
図２(ｆ)は収納容器１０２と蓋部材１０１とを並べて収容容器として用いた状態図である。
通常、容器同士を並べて密接配置すると、冷気の流れが阻害されてしまう可能性がある。
これに対して、本実施例では、第一収容容器である下容器１０２の開口部分の開口面積および蓋部材１０１の開口部の開口面積よりも、第二の収容容器として使用した際の蓋部材１０１の底部１０８の底面積を小さくする様に構成している。
好適には、蓋部材１０１を第二の収容容器として使用する場合に、蓋部材１０１の底面から開口部にかけて、側面が張り出すように形成されると良い。
このように構成することで、容器同士を密接配置した場合にも、通風路１１０が形成されることになり、冷気の流れを維持することが可能となる。
これにより、冷蔵庫の冷却効率も維持され、さらに容器内の食材の安定した冷却を可能とすることができる。
【００２０】
上記では並べて使用する例を挙げたが、これに限らず、並べずに使用することも可能であるし、下容器１０２に重ねるように使用することも可能である。特に重ねて使用する場合には、下容器１０２内の密閉度を保ちつつ、蓋部材１０１を第二の収容容器として使用することができる。
（第２実施形態）
図３は第２の実施形態に係る収納容器の外観及び断面を示す図であり、それぞれ(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図、(ｆ) 本実施例の実施形態例である収納容器Ａ−Ａ、Ｂ−Ｂ断面図、(ｇ)蓋部材が開放した状態を示す図、(ｈ) 蓋部材が開放した状態で拡大部分Ｑの詳細を示す図、(ｉ) 蓋部材が開放した状態で拡大部分Ｐの詳細を示す図である。右側面図は左側面図と同様であるため省略している。
ここで第１の実施形態と同一の説明、符号の説明等は省略する。
【００２１】
第２の実施形態に係る収納容器の特徴の一つとして、この収納容器は、蓋部材１０１と下容器１０２とを結合させ、蓋容器１０１の開閉を可能とするヒンジ部３０２を有している。このヒンジ部３０２は下容器１０１の短手方向側面に配置され、本実施例では取っ手１０５の近傍に配置されている。また利用者が取っ手１０５を把持した状態で、蓋部材１０１の開放を容易にするために、蓋部材１０１の取っ手１０５側の短手側面に開放取っ手３０１が設けられている。
この開放取っ手３０１を押し下げることで、ヒンジ部３０２を支点として蓋部材１０１が回転することになる。当該回転により蓋部材１０１が開放されることになる。
【００２２】
また、図３(ｉ)に示す様に、このヒンジ部３０２は蓋部材１０１側に設けられた回転軸と、下容器１０２側に設けられた軸受部より構成されており、これらは蓋部材１０１が下容器１０２の密封を解いた状態(開放された状態)で着脱が可能に形成されている。
このヒンジ部３０２から蓋部材１０１を取り外すと、当該蓋部材１０１が第二の収容容器として使用可能である点については、第一の実施形態と同様である。
【００２３】
一方、第２の実施形態に係る収納容器の他の特徴として、この収納容器では、下容器１０２の長手方向において、取っ手１０５が形成されている側から、取っ手が形成されていない端部側面側にかけて、なだらかに高さが低くなる様に変化している。
言いかえると、蓋部材１０１で下容器１０２を封止した際、蓋部材１０１の長手方向において、開放取っ手３０１が形成されている短手側面側から、開放取っ手３０１が形成されていない側にかけてなだらかに高さが高くなる様に変化している。
つまり、蓋部材１０１で下容器１０２を封止した際、蓋部材１０１の長手方向において、ヒンジ部３０２が形成されている短手側面側から、ヒンジ部３０２が形成されていない短手側面側にかけて高さが低くなる様に形成されている。
本実施例では、なだらかに高さが変化する例として、いわゆるクランク状に高さが変化している例を示しているが、これに限らず、円弧上に変化しても良いし、階段状に変化する様に構成しても良い。
【００２４】
このように下容器１０２の取っ手１０５側の高さを高くすることは、取っ手１０５側の剛性を高めることができ、容器の変形を防ぐためにも好適である。
さらに、このように取っ手１０５側の壁面が高く形成されていることにより、利用者が冷蔵庫の棚の高い位置から、取っ手１０５を下向きに引く様に収納容器を取り出す際にも、有る程度高さがあるために、収容されている食材や調味料ボトルなどが飛び出す心配が無い。
【００２５】
また図３(ｈ)に示す様に、蓋部材１０１の開放状態を維持するために、蓋部材１０１を開放した際、開放取っ手３０２が取っ手１０５に嵌着できる様に、取っ手１０５の幅を開放取っ手３０２よりも大きくし、当該取っ手１０５側に、開放取っ手３０２を嵌着するための凹部を設けても良い。このような凹部を設けることで開放状態を保つことが出来、使い勝手の良い容器を提供することが可能となる。
（第３実施形態）
図４は第３の実施形態に係る収納容器の外観及び断面を示す図であり、それぞれ(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図、(ｆ) 本実施例の実施形態例である収納容器Ａ−Ａ、Ｂ−Ｂ断面図、(ｇ)蓋部材が開放した状態を示す図、(ｈ) 蓋部材を開放させる際の拡大部分Ｐの詳細を示す図、(ｉ) 蓋部材を開放させる際の拡大部分Ｑの詳細を示す図。である。
右側面図は左側面図と同様であるため省略する。
ここで第１および第２の実施形態と同一の説明、符号の説明等は省略する。
【００２６】
本実施例における収納容器の特徴は、この収納容器が、蓋部材１０１の開放機構を有する点である。
この開放機構について説明する。下容器１０２の取っ手１０５側の短手側面とは反対側の短手側面にヒンジ部４０４が設けられており、当該ヒンジ部４０４にはバネ４０３が設けられている。
当該バネ４０３が蓋部材１０１の保持部に接続されており、このバネ力によりヒンジ部４０４を支点として、蓋部材１０１が回転することで下容器１０２から蓋部材１０１が開放されることになる。
この蓋部材１０１の下容器１０２からの開放は、下容器１０２の取っ手１０５に設けられた開放スイッチ４０１により制御できる。図４(ｈ)Ｐ部拡大図において示す様に、この開放スイッチ４０１はスイッチ保持部４０２を支点として下方向に押下されることで蓋部材１０１と開放スイッチ４０１との結合が外れ、蓋部材１０１の開放を可能とする構成となっている。
ここで本例では、蓋部材が下容器を密閉している(蓋が閉じている)状態では、蓋部材の端部と開放スイッチの端部とが接続する様に構成する例を示した。
【００２７】
しかし、これに限らず、図４(ｉ)Ｑ部拡大図において示す様に、開放スイッチの押下による反動で持ち上げられた蓋部材がバネ力により開放する様に構成しても良い。この際、蓋の自重により蓋を閉じる様に構成するために、蓋を開放するためのバネ力を、蓋を閉じるための自重による力よりも小さくする必要がある。
【００２８】
この開放スイッチ４０１を取っ手１０５に設けることで、取っ手１０５を利用者が把持した状態で蓋部材１０１の開放が出来るため、使い勝手か良好となる。
(第４実施形態)
図５は第４の実施形態に係る収納容器の外観６面図及び使用状態例を示す図であり、それぞれ(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図、(ｆ) 本実施例の実施形態例である収納容器右側面図、(ｇ)蓋部材が開放した状態を示す図である、(ｈ)蓋部材を開放した状態におけるＰ部拡大図を示す図である。
右側面図は左側面図と同様であるため省略する。
ここで第１〜３の実施形態と同一の説明、符号の説明等は省略する。
【００２９】
本実施例における収納容器では、長手方向の側面にヒンジ部５０１を設けられている。
図５(ｈ)を参照すると、このヒンジ部５０１は蓋部材１０１側に設けられた回転軸と、下容器１０２側に設けられた軸受部より構成されている。本実施例では長手方向に向かって２点の保持形態を採っているが、必ずしもこれに限定されず、容器の大きさ、長さに応じて適宜選択できることは云うまでも無い。また、当該ヒンジ部５０１から蓋部材１０１を着脱可能に構成しても良いことも云うまでも無い。
【００３０】
第４の実施形態に係る収納容器の他の特徴として、この収納容器では、下容器１０２の短手方向において、ヒンジ部５０１が形成されている長手方向側面側から、ヒンジ部５０１が形成されていない長手方向側面側にかけて、高さが徐々に高くなる様に変化している。
言いかえると、蓋部材１０１で下容器１０２を封止した際、蓋部材１０１の短手方向において、ヒンジ部５０１の回転軸が形成されている長手方向側面側から、回転軸が形成されていない長手方向側面側にかけて高さが低くなる様に変化している。
本実施例では、なだらかに高さが変化する例として、いわゆるクランク状に高さが変化している例を示しているが、これに限らず、円弧上に変化しても良いし、階段状に変化する様に構成しても良い。
【００３１】
このように蓋部材１０１の短手方向において、ヒンジ部５０１の回転軸が形成されている長手方向側面側から、回転軸が形成されていない長手方向側面側にかけて高さが低くなる様に形成されていることにより、利用者が蓋部材１０１を開放する際に、高さが均一な場合と比較して少ない力で蓋部材１０１を開放することが出来る。
【００３２】
また、さらに好ましくは、ヒンジ部が形成されている側において、蓋部１０１の高さと下容器１０２の高さを均一にすることで、蓋部材１０１を開放した際に、並べて下容器１０２と蓋部材１０１を収納容器として設置することが可能となる。このように構成されることで、ヒンジ部５０１から蓋部材１０１を取り外すことなく、第二の収容容器として使用することが可能となる。
このように、ヒンジ部５０１から蓋部材１０１を取り外すことなく、第二の収容容器として使用することで、第一の収容容器である下容器１０２と共に冷蔵庫内からの取り出し、冷蔵庫内への収納が一意に出来ることになり、使い勝手が向上することになる。
【００３３】
また、少なくとも蓋部材１０１のヒンジ部５０１との連結部分について、容器の外側に向かって反り返るように構成５０２することで、蓋部材１０１を開放して第二の収容容器として使用する際に、下容器１０２との間に空隙が出来ることになる。当該空隙が通風路として作用することになるから、冷却効率を保持することが可能となる。
【００３４】
また、第１の実施形態にて上述したように、第一収容容器である下容器１０２の開口部分の開口面積および蓋部材１０１の開口部の開口面積よりも、第二の収容容器として使用した際の蓋部材１０１の底部１０８の底面積を小さくする様に構成し、当該構成において、ヒンジ部５０１を介して下容器１０２と蓋部材１０１とを連結することでも、通風路を形成することは可能である。
(第５実施形態)
次に図６、７を用いて第５の実施形態に係る収納容器について説明する。図６は、それぞれ(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図、(ｆ) 本実施例の実施形態例である収納容器Ａ−Ａ断面図であり、図７は二重容器の使用状態の説明図である。なお、図６において右側面図は左側面図と同様であるため省略する。
ここで第１〜４の実施形態と同一の説明、符号の説明等は省略する。
【００３５】
図６に示す収納容器は、二重容器を形成しており、下容器として外容器６０１、内容器６０２を有し、蓋部材として外蓋部材６０３、内蓋部材６０４を有している。
このように二重容器を構成することで、外容器６０１と内容器６０２内に空間ができることで断熱効果が生じ、内容器６０２内に収容された食材の冷却を維持することができる。
このように冷却を維持できることは、収納容器ごと、冷蔵庫から取り出して食卓に並べる場合にも有用である。
【００３６】
また図７では、外容器６０１と内容器６０２とを別個の収納容器として用いることが出来る例を示している。食材の性質や用途によっては断熱効果を要求しない場合も有る。この場合には、別個の容器として使用することも可能である。
またさらに、図７(ａ)では、蓋部材６０３、６０４を逆さまにして下容器に重ねる様に使用する形態を示している。このように配置することで、内容器６０２内では断熱が要求される食材を、それ以外の食材については蓋部材６０４上に収容することが可能となり、使い勝手がさらに向上する。
(第６実施形態)
次に図８を用いて第６の実施形態に係る収納容器について説明する。
ここで第１〜５の実施形態と同一の説明、符号の説明等は省略する。
食材の性質や、貯蔵目的によって、収納容器内の乾燥を嫌う程度が異なることは上述してきた通りであるが、冷蔵庫内の乾燥を防ぐ必要がある食材も多い。
この場合、容器の密閉度を高めることで有る程度の乾燥は抑止できるが、これだけでは十分でない場合もある。
【００３７】
この場合、図８に示すように下容器１０２と蓋部材１０１の嵌着部分に、受部８０２を設けると良い。本実施例では、下容器１０２に受部８０２を有する場合について説明する。
受部８０２は蓋部材１０１との嵌着を促すための凹部であり、蓋部材１０１の厚みよりも厚みに余裕を持って形成されている。
当該受部８０２に蓋部材１０１を嵌着し、余剰空間に、例えば水８０１などの湿度の高い物質を導入する。このように水８０１などの物質を導入することで、空気の流入出を防止することが出来、また、嵌合部分に出来た僅かな隙間から、蒸発した水蒸気が内部に流入し、容器内の湿度を保つことが可能となる。
また、蓋部材１０１が図８(ａ)に示すようななだらかに広がりをもつように張出した形状とすることで、言い換えれば蓋部材１０１の開口部の開口面積よりも、第二の収容容器として使用した際の蓋部材１０１の底部１０８の底面積を小さくする様に構成することで、蓋部材１０１上面に対して水８０１を流した際に、受部８０２に効果的に流入させることが可能となる。
【００３８】
一方、上記では水を例に説明したが、当該余剰空間を空気だまりとして用いることも可能である。このとき、このような空気だまりが形成されることで、冷蔵庫内からの冷気の流入、容器内部からの蒸発を防ぐこともできる。
【００３９】
また本実施例では、受部８０２の蓋部材１０１との嵌着部分に丸み８０３を持たせている。さらに当該丸み８０３と接続できるように、蓋部材１０１の短部にも丸みを持たせている。このように、互いに丸みを持たせることで、確実に位置決め出来、さらに接続も強くなることから、容器内部の蒸発を防ぐとともに、冷気の流入を防ぐことが可能となる。
【００４０】
本実施例に関しては、上述してきた、および、後述する何れの実施例に示した収納容器に、受部８０２を設けることで適用可能であることは云うまでも無い。
また、上述の例では、収納容器の外側に受部８０２を構成する例を示したが、下容器の収容空間の一部に受部８０２を設けて、当該受け部８０２に水を導入出来る構成とすることで、乾燥を防ぐこともできることは云うまでも無い。
(第７実施形態)
次に図９、１０を用いて第７の実施形態に係る収納容器について説明する。図９はそれぞれ(ａ)本実施例の実施形態例である収納容器左側面図、(ｂ) 本実施例の実施形態例である収納容器上面図、(ｃ) 本実施例の実施形態例である収納容器背面図、(ｄ) 本実施例の実施形態例である収納容器底面図、(ｅ) 本実施例の実施形態例である収納容器正面図、(ｆ) 本実施例の実施形態例である収納容器右側面図であり、図１０は使用状態を説明する図である。ここで第１〜６の実施形態と同一の説明、符号の説明等は省略する。
【００４１】
本実施例における収納容器は、上述の第１の実施形態で説明した収容容器と構成は同一であり、相違点は長手方向側面に設けられた蓋部材１０１、下容器１０２との嵌合部分の形状である。
【００４２】
図９は本実施例における収納容器を示す図であり、図９(ａ)において示される下容器１０２の長手方向には波打つように形成された嵌合部である下容器左側面結合部９０１が形成されている。また、上記下容器左側面結合部９０１と対向する向きである、図９(ｆ)において示される下容器１０２の長手方向には下容器右側面結合部９０２が形成されている。
一方蓋部材１０１においても、上記下容器左側面結合部９０１、下容器右側面結合部９０２と嵌合するように、蓋部材左側面結合部９０３、蓋部材右側面結合部９０４が夫々形成されている。
この上記下容器左側面結合部９０１と下容器右側面結合部９０２とは波打つ形状は共通しているが、それぞれのパターンが異なっている。
したがって、蓋部材１０１で下容器１０２を密閉する際には、互いの方向をそろえることが必要である。
【００４３】
このように、長手方向の左右にパターンの異なる嵌合部を設けることで、乾燥を防ぐことが必要な食材が収容されている場合には、下容器左側面結合部９０１と蓋部材左側面結合部９０３（および下容器右側面結合部９０２と蓋部材右側面結合部９０４）とが結合する様に方向をそろえて封止する。
【００４４】
また、密閉度が高いと内部にエチレンガスなどの食材にとって劣化を促進するガスを発してしまうような場合には、密閉度を下げる必要がある。
このような場合には、蓋部材１０１の方向を逆転させて、つまり、下容器左側面結合部９０１と蓋部材右側面結合部９０４（および下容器右側面結合部９０２と蓋部材左側面結合部９０３）とが結合する様に封止すれば良い。
このように、封止する蓋部材１０１の向きを逆転させると、夫々の波打つパターンが異なることから、空気穴９０５が形成されることになり、上述したガスの充満を防ぐことができる。
【００４５】
本実施例に関しては、上述してきた何れの実施例に示した収納容器に、左右異なるパターンの嵌合部を設けることで適用可能であることは云うまでも無い。また、本例においては長手方向にパターンを設ける例を示したが、短手方向でも良く、互いに対向する側面の嵌合部分に形成されたパターンが非対称となっていれば良い。
また、上述の例では波打つようなパターンを例に説明したが、階段状にパターンを形成しても良いし、凹凸パターンを設けるようにしても良い。これらの場合にも、対向する面に設けられた形状パターンが非対称であることが必要である。
【００４６】
上記本実施例では、食材にとって劣化を促進するガスの発生を容器の密閉度を変えるように構成することで容器内部への充満を防止する例を示したが、例えばガス除去カセットなどの除去部材を蓋部材もしくは下容器内部に設置可能な保持部を設けることも出来る。この場合、上述してきた実施例の何れにおいても、保持部を設けることで除去部材を設置できることは云うまでも無い。
【符号の説明】
【００４７】
101…蓋部材、102…下容器、103…突起、104…突起、105…取っ手、106…凹部、107…勘合部、108…蓋部底面、110…通風路、301…開放取っ手、302…ヒンジ部、401…開放スイッチ、402…スイッチ保持部、
403…弾性部材、404…蓋回転保持部、501…ヒンジ部、601…外容器、602…内容器、
603…外蓋部材、604…内蓋部材、701…食材、801…水道、802…受部、
901…下容器左側面結合部、902…下容器右側面結合部、903…蓋部材左側面結合部、
904…蓋部材右側面結合部
【図１ａ−ｅ】
2013074963.tif 000003
【図１ｆ】
2013074963.tif 000004
【図２ａ−ｅ】
2013074963.tif 000005
【図２ｆ】
2013074963.tif 000006
【図３ａ−ｅ】
2013074963.tif 000007
【図３ｆ−ｇ】
2013074963.tif 000008
【図３ｈ】
2013074963.tif 000009
【図３ｉ】
2013074963.tif 000010
【図４ａ−ｅ】
2013074963.tif 000011
【図４ｆ−ｇ】
2013074963.tif 000012
【図４ｈ】
2013074963.tif 000013
【図４ｉ】
2013074963.tif 000014
【図５ａ−ｅ】
2013074963.tif 000015
【図５ｆ−ｇ】
2013074963.tif 000016
【図５ｈ】
2013074963.tif 000017
【図６ａ−ｅ】
2013074963.tif 000018
【図６ｆ】
2013074963.tif 000019
【図７ａ−ｃ】
2013074963.tif 000020
【図８ａ−ｂ】
2013074963.tif 000021
【図９ａ−ｅ】
2013074963.tif 000022
【図９ｆ】
2013074963.tif 000023
【図１０】
2013074963.tif 000024